(57)【要約】【課題】天井の開閉がスムーズに行なえるのは勿論のこと、天井を部分的に開放することが出来てしかもその開口量を任意調整することが出来るペット収容部材を提供する。【解決手段】複数の柵部材から囲まれる仕切り部材と、この仕切り部材上の天井を仕切る天板部材とから成るペット収容部材において、前記天板部材を複数枚に分割して、これら天板分割体を揺動可能に連結し、前記複数の天板分割体中の一端側に位置する天板分割体を仕切り部材に揺動可能に連結するとともに、前記仕切り部材には、前記複数の天板分割体中の他端側に位置する天板分割体を所定の開放位置で係止するための複数の係止部が設けられ、また前記天板部材の揺動により、この天板部材を天井部分から前記仕切り部材の側面部に沿う位置に格納可能とした。【選択図】図２
2010183846.tif 000002
【特許請求の範囲】
【請求項１】
複数の柵部材から囲まれる仕切り部材と、この仕切り部材上の天井を仕切る天板部材とから成るペット収容部材において、前記天板部材を複数枚に分割して、これら天板分割体を揺動可能に連結し、前記複数の天板分割体中の一端側に位置する天板分割体を仕切り部材に揺動可能に連結するとともに、前記仕切り部材には、前記複数の天板分割体中の他端側に位置する天板分割体を所定の開放位置で係止するための複数の係止部が設けられていることを特徴とするペット収容部材。
【請求項２】
前記天板部材の揺動により、この天板部材を天井部分から前記仕切り部材の側面部に沿う位置に格納可能としていることを特徴とする請求項１に記載のペット収容部材。
【請求項３】
前記天板部材が天井部分の左右または前後にそれぞれ設けられていることを特徴とする請求項１または２に記載のペット収容部材。
【請求項４】
複数の柵部材から囲まれる仕切り部材と、この仕切り部材上の天井を仕切る天板部材とから成るペット収容部材において、前記天板部材を複数枚に分割して、これら天板分割体の少なくとも一つを他の天板分割体に対してスライド可能に取り付け、スライド可能に取り付けた天板分割体のスライド操作により、天井部分の開口量を変更可能としていることを特徴とするペット収容部材。
【発明の詳細な説明】
【技術分野】
【０００１】
本発明は、犬などのペットの収容室を備えたペット収容部材における天井構造に関する。
【背景技術】
【０００２】
近年、子犬等のペットを家屋内の一定の場所に入れておくために、例えばケージなどのペット収容部材が家庭で用いられている。
【０００３】
このペット収容部材は、複数枚の仕切り体を例えば平面視矩形状に連結してなる仕切り部材と、この仕切り部材上の天井を仕切る天板部材とから構成され、これら仕切り部材と天板部材により囲まれた収容室内にペットを収容するようにしている。
【０００４】
そして前記した天板部材は、その後端部を仕切り部材にヒンジ部材を介して揺動可能に連結し、この天板部材を、仕切り部材上に載って天井を閉じる位置と、仕切り部材の背面側上に立設して天井を開放する位置とに位置変更可能として、収容室の天井を開閉できるようにしている（特許文献１参照）。
【０００５】
ところで以上のペット収容部材では、天井の開閉に際して、天井を部分的に開放することが困難であり、その開放量を任意調整することも出来ない。
【０００６】
また天板部材を仕切り部材上に単に載置して、天井の開放時には、天板部材を仕切り部材から取り外すようにしたペット収容部材も見受けられるが、以上の構造のものでは、天井の開放時、仕切り部材から取り外した天板部材の保管場所を別途確保する必要がある。
【先行技術文献】
【特許文献】
【０００７】
実開平６−４１４５８号
【発明の概要】
【発明が解決しようとする課題】
【０００８】
本発明は、以上の実情に鑑みて開発されたものであって、目的とするところは、天井の開閉がスムーズに行なえるのは勿論のこと、天井を部分的に開放することが出来てしかもその開口量を任意調整することが出来るペット収容部材を提供することにある。
【課題を解決するための手段】
【０００９】
前記した目的を達成するために、請求項１に係る本発明は、複数の柵部材から囲まれる仕切り部材と、この仕切り部材上の天井を仕切る天板部材とから成るペット収容部材において、前記天板部材を複数枚に分割して、これら天板分割体を揺動可能に連結し、前記複数の天板分割体中の一端側に位置する天板分割体を仕切り部材に揺動可能に連結するとともに、前記仕切り部材には、前記複数の天板分割体中の他端側に位置する天板分割体を所定の開放位置で係止するための複数の係止部が設けられていることを特徴とする。
【００１０】
請求項２に記載の発明は、請求項１に記載のペット収容部材において、前記天板部材の揺動により、この天板部材を天井部分から前記仕切り部材の側面部に沿う位置に格納可能としていることを特徴とする。
【００１１】
請求項３に記載の発明は、請求項１または２に記載のペット収容部材において、前記天板部材が天井部分の左右または前後にそれぞれ設けられていることを特徴とする。
【００１２】
請求項４に係る本発明は、複数の柵部材から囲まれる仕切り部材と、この仕切り部材上の天井を仕切る天板部材とから成るペット収容部材において、前記天板部材を複数枚に分割して、これら天板分割体の少なくとも一つを他の天板分割体に対してスライド可能に取り付け、スライド可能に取り付けた天板分割体のスライド操作により、天井部分の開口量を変更可能としていることを特徴とする。
【発明の効果】
【００１３】
請求項１に記載の発明によれば、天井の開放に際して、天板分割体中の他端側に位置する天板分割体を仕切り部材に設けた複数の係止部中の任意の一つに係止するだけで、天井を部分的に開放することが出来るのは勿論のこと、その開口量も任意自由に調整することが出来るし、天井の開閉もスムーズに行なうことが出来る。
【００１４】
請求項２に記載の発明によれば、請求項１に記載の発明の効果に加え、天井の全開時には、天板部材を仕切り部材に対して揺動させるだけで、天板部材を仕切り部材の側面部に沿う位置に容易に格納することが出来て、天板部材が不用意に倒れるようなこともない。
【００１５】
請求項３に記載の発明によれば、請求項１または２に記載の発明の効果に加え、天井の部分的な開閉をより一層細やかに行なうことが出来る。
【００１６】
請求項４に記載の発明によれば、天井の開放に際して、
スライド可能に取り付けられた天板分割体を適宜スライドさせるだけで、天井部分の開口量を容易に変更することが出来る。
【図面の簡単な説明】
【００１７】
【図１】本発明に係るペット収容部材の一実施形態を示す斜視図。
【図２】同、天井を一部開放した状態を示すペット収容部材の斜視図。
【図３】同、天井を一部開放した状態を示すペット収容部材の斜視図。
【図４】同、天井を全面的に開放した状態を示すペット収容部材の斜視図。
【図５】天板部材の要部の拡大斜視図。
【図６】仕切り部材を構成する出入り専用柵部材の正面図。
【図７】仕切り部材を構成する左側仕切り専用柵部材の正面図。
【図８】仕切り部材を構成する右側仕切り専用柵部材の正面図。
【図９】仕切り部材を構成する背面側仕切り専用柵部材の正面図。
【図１０】天板部材の背面図。
【図１１】本発明に係るペット収容部材の別の実施形態を示す斜視図。
【図１２】本発明に係るペット収容部材の別の実施形態を示す斜視図。
【図１３】本発明に係るペット収容部材の別の実施形態を示す斜視図。
【図１４】図１４に示すペット収容部材において天井の一部開放状態を示す斜視図。
【発明を実施するための形態】
【００１８】
以下、本発明の実施の形態を添付した図面により詳細に説明する。
【００１９】
先ず、図１〜図４は、本発明に係るペット用収容部材の一実施形態を示す斜視図、
図５は、天板部材の要部の拡大斜視図、
図６は、仕切り部材を構成する出入り専用柵部材の正面図。
図７及び図８は、仕切り部材を構成する左右仕切り専用柵部材の正面図、
図９は、仕切り部材を構成する背面側仕切り専用柵部材の正面図、
図１０は、天井部材の背面図である。
【００２０】
以上の図１〜図１０において符号１で示すペット収容部材は、一般にケージと称されているものであって、このペット収容部材１は、３枚の仕切り専用柵部材２ａ・２ｂ・２ｃと一枚の出入り専用柵部材２ｄにより平面視矩形状に枠組みされた仕切り部材２と、この仕切り部材２内の床面を構成する床板部材３と、仕切り部材２の天井を画成する天板部材４とから構成されている。
【００２１】
仕切り部材２を構成する仕切り専用柵部材２ａ・２ｂ・２ｃは、図７及び図８に示すように、上下の横杆２１・２２及びこれら上下の横杆２１・２２の長さ方向両端に架設される縦杆２３・２４から矩形状に枠組みされた枠体２０を備え、この枠体２０内は側板２５が組み込まれている。
【００２２】
仕切り専用柵部材中の左右両側方に配設される２枚２ａ・２ｃは、背面側に配設される１枚２ｂよりもほぼ天板部材４の厚さだけ高く形成されている。
【００２３】
また左右の仕切り専用柵部材２ａ・２ｃを構成する縦杆２４の上端部内側面には、後記の枢軸４７が回転可能に嵌る嵌合穴２６が設けられている。
【００２４】
出入り用柵部材２ｄは、図６に示すように、枠体２０の上下横杆２１・２２及び左右縦杆２３・２４で画成された出入口を開閉する扉２７が備えられ、この扉２７は、枠体２０を構成する縦杆２４にヒンジ金具（図示せず）を介して揺動自由に支持されている。
【００２５】
底板部材３は、一枚の板材から矩形状に形成されている。
【００２６】
天板部材４は、図１０にも示すように、前後の天板分割体４ａ・４ｂに分割されている。
【００２７】
各天板分割体４ａ・４ｂは、前後の横杆４１・４２及びこれら上下の横杆４１・４２の長さ方向両端に架設される左右縦杆４３・４４から矩形状に枠組みされた枠体４０を備え、この枠体４０内には天板４５が組み込まれている。
【００２８】
以上の天板分割体４ａ・４ｂはヒンジ部材４６により連結されて、図１に示す展開状態から図２、図３に示す山折状態に揺動可能となっている。
【００２９】
また後側の天板分割体４ｂの幅方向両端には枢軸４７が突設され、この枢軸４７を前記した嵌合穴２６に嵌めることで、天板部材４を仕切り部材２の天井部分を覆う位置と仕切り専用柵部材２ｂの外側面に沿う位置との間で揺動可能としている。
【００３０】
また天板分割体４ａ・４ｂを受け止めるための受け止め杆２８が、図7及び図８にも示すように、仕切り専し用柵部材２ａ・２ｃの上端部内側面に設けられている。
【００３１】
そしてこの受け止め杆２８の上面には、係止溝から構成される係止部２９が所定間隔ごとに複数設けられている。
【００３２】
また以上の実施形態では、天板部材４と仕切り部材２との間には、天井を閉鎖した状態にある天板部材４を仕切り部材２にロックするためのロック部材５が設けられている。
【００３３】
このロック手段５は、天板分割体４ａに設けられた係合板５１と、仕切り部材を構成する出入り用柵部材２ｄの上部横杆２１に設けられて、前記した係合板５１の係合孔５２に係合可能なロック体５３とから構成され、ロック体５３を係合板５１の係合孔５２に係合させることで、天井を閉鎖した状態にある天板部材４を仕切り部材２にロックするようにしている。
【００３４】
尚、図中６はキャスターを示す。
【００３５】
以上の構成からなるペット収容部材１は、図１に示すように、天板部材４が仕切り部材２の天井を覆っている時には、天板部材４の前端部がロック部材５により仕切り部材２の出入り用柵部材２ｄに係止されているので、天板部材４が不用意に開くことはない。
【００３６】
次に天井を一部開きたい場合には、先ずロック体５３の操作により、ロック体５３を係合板５１の係合孔５２から離脱させて、天板部材４の仕切り部材２に対するロックを解除する。
【００３７】
続いて図２や図３に示すように、前後天板分割体４ａ・４ｂを山折状態に折り曲げるとともに、天板分割体４ａの前端を所望の係止部２９に係止すればよく、これにより、例えば図２若しくは図３に示すように、天井の開口量を自由に変更することが出来る。
【００３８】
また天井を全開したい場合には、後側の天板分割体４ｂに設けた枢軸４７を支点にして、天井部分を覆っている天板部材４全体を位置から仕切り専用柵部材２ｂの外側面に沿う位置まで揺動させて、天板部材４を図４に示すように仕切り専用柵部材２ｂの背面側に格納すればよい。
【００３９】
尚、以上の実施形態では、天板部材４を２つに分割したが、これに限定されるものではなく、例えば図１１に示すように前後４つの天板分割体４ａ・４ｂ・４ｃ・４ｄに分割してもよい。
【００４０】
次に図１２は、ペット収容部材１の別の実施形態を示すものである。
【００４１】
このペット収容部材１は、ペット収容部材１の幅を、図１に示すペット収容部材１の幅よりも約２倍広くして、天板部材４を仕切り部材２における天井部分の左右にそれぞれ設けるとともに、各天板部材４を左右の天板分割体４ｃ・４ｄにそれぞれ二分割している。
【００４２】
各天板分割体４ｃ・４ｄは、前後の横杆４１・４２及びこれら上下の横杆４１・４２の長さ方向両端に架設される左右縦杆４３・４４から矩形状に枠組みされた枠体４０を備え、この枠体４０内には天板４５が組み込まれている。
【００４３】
以上の天板分割体４ｃ・４ｄもヒンジ部材４６により連結されて、展開状態から山折状態に揺動可能となっている。
【００４４】
また左側の天板部材４を構成する天板分割体４ｃ並びに右側の天板部材４を構成する天板分割体４ｄの幅方向両端にはそれぞれ枢軸４７が突設され、この枢軸４７を、仕切り専用柵部材２ｂと出入り専用柵部材２ｄに設けた嵌合穴２６に嵌めることで、天板部材４を仕切り部材２の天井部分を覆う位置と仕切り専用柵部材２ａ・２ｃの外側面に沿う位置との間で揺動可能としている。
【００４５】
また以上の実施形態では、天板分割体４ｃ・４ｄを受け止めるための受け止め杆２８が、図１２に示すように、仕切り専用柵部材２ｂ及び出入り用柵部材２ｄの上端部内側面に設けられている。
【００４６】
この受け止め杆２８の上面には、係止溝から構成される係止部２９が所定間隔ごとに複数設けられている。
【００４７】
尚、仕切り専用柵部材中の左右両側方に配設される２枚２ａ・２ｃは、背面側に配設される仕切り専用柵部材２ｂ及び出入り用柵部材２ｄよりも天板部材４の厚さだけ低く形成されている。
【００４８】
以上のペット収容部材１では、例えば天井の左半分を一部開きたい場合には、左側の天板部材４を構成している天板分割体４ｃ・４ｄを山折状態に折り曲げるとともに、天板分割体４ｄの遊端を所望の係止部２９に係止すればよい。
【００４９】
また天井の右半分を一部開きたい場合には、右側の天板部材４を構成する天板分割体４ｃ・４ｄを同じく山折状態に折り曲げるとともに、天板分割体４ｃの遊端を所望の係止部２９に係止すればよい。
【００５０】
これにより、天井の左半分または右半分の開口量を自由に調整することが出来る。
【００５１】
また天井の左半分を全開開放したい場合や右半分を全開したい場合、もしくは天井全体を開放した場合には、天板分割体４ｃ・４ｄに設けた枢軸４７を支点にして、対応する天板部材４を天井部分を覆う位置から仕切り専用柵部材２ａ・２ｃの外側面に沿う位置まで揺動させて、天板部材４を仕切り専用柵部材２ａ・２ｃの背面側に格納すればよい。
【００５２】
以上の実施形態では、各天板部材４を２つに分割したが、これに限定されるものではなく、例えば左右の天板部材４もしくはいずれか一方の天板部材４を４つの天板分割体に分割してもよい。
【００５３】
また前記した各実施形態では、受け止め杆２８に係止溝から構成される係止部２９を設けたが、係止溝に限定されるものではなく、例えば受け止め杆２８の上面上方に突出する突起から構成される係止部２９を設けてもよい。
【００５４】
また図１３及び図１４は、本発明に係るペット用収容部材の別の実施形態を示すものである。
【００５５】
尚、図１３及び図１４に示すペット用収容部材の基本的な構成は、図１に示すものと同一であって、異なる部分のみを説明する。
【００５６】
即ち、図１３及び図１４に示すペット用収容部材では、天板部材４が、前後の天板分割体４ｅ・４ｆに分割され、前側の天板分割体４ｅが、後側の天板分割体４ｆに対して、この天板分割体４０ｆに設けたガイドレール部材（図示せず）を介して、天板分割体４ｆの上面側に重なる位置と天板分割体４０ｆよりもその前方側に突出位置との間をスライド可能に設けられ、後側天板部材４ｆに対する前側天板部材４ｅのスライド操作により、天井部分の開口量を任意変更可能としたものである。
また後側天板部材４ｆの後端側は、図１に示すものと同様に仕切り部材２に枢支されている。
【００５７】
斯くして、天井を全開したい場合には、後側天板部材４ｆを前側天板部材４ｅと共に仕切り専用柵部材２ｂの外側面に沿う位置まで揺動させて、天板部材４を仕切り専用柵部材２ｂの背面側に格納すればよい。
【符号の説明】
【００５８】
１    ペット収容部材
２    仕切り部材
２ａ・２ｂ・２ｃ    仕切り専用柵部材
２ｄ  出入り専用仕切り部材
２０  枠体
２１・２２  横杆
２３・２４  縦杆
２５        側板
２６  嵌合穴
２８  受け止め杆
２９  係止部
３    床板部材
４    天板部材
４１・４２  横杆
４３・４４  縦杆
４５  側板
４６  ヒンジ部材
４７  枢軸
５    ロック部材
５１  係合板
５２  係合孔
５３  ロック体
【図１】
2010183846.tif 000003
【図２】
2010183846.tif 000004
【図３】
2010183846.tif 000005
【図４】
2010183846.tif 000006
【図５】
2010183846.tif 000007
【図６】
2010183846.tif 000008
【図７】
2010183846.tif 000009
【図８】
2010183846.tif 000010
【図９】
2010183846.tif 000011
【図１０】
2010183846.tif 000012
【図１１】
2010183846.tif 000013
【図１２】
2010183846.tif 000014
【図１３】
2010183846.tif 000015
【図１４】
2010183846.tif 000016